(57)【要約】【課題】  フラットパネルディスプレイ装置のピクセル回路を，静電誘導トランジスタと有機ＥＬ素子が結合した発光素子と，抵抗と複数のダイオードを含むスイッチング素子から構成することにより，製造工程を単純化し，製造原価を抑える。【解決手段】  データ信号Ｄａｔａを伝送する複数のデータラインと，スキャン信号Ｓｃａｎを伝送する複数のスキャンラインと，データラインとスキャンラインに連結された複数のピクセル回路とを含むフラットパネルディスプレイ装置であって，各ピクセル回路は，複数のダイオードと抵抗，及び，スキャン信号によりターンオンし，データ信号をスイッチングして発光素子をターンオンさせるスイッチング素子を含む。発光素子は，静電誘導トランジスタ（Ｓｔａｔｉｃ  Ｉｎｄｕｃｔｉｏｎ  Ｔｒａｎｓｉｓｔｏｒ）と有機ＥＬ素子（ＯＬＥＤ）が結合されて成る。【選択図】  図２
2005157275.tif 000002
【特許請求の範囲】
【請求項１】
データ信号を伝送する複数のデータラインと，
選択信号を伝送する複数のスキャンラインと，
前記データラインと前記スキャンラインに接続された複数のピクセル回路と，
を含み，
前記各ピクセル回路は，
前記選択信号に応じてターンオンするスイッチング素子を含み，
前記各スイッチング素子は，複数のダイオードと抵抗とを有し，前記データ信号を発光素子に与えることを特徴とする，フラットパネルディスプレイ装置。
【請求項２】
前記発光素子は，静電誘導トランジスタと有機ＥＬ素子が結合されて成ることを特徴とする，請求項１に記載のフラットパネルディスプレイ装置。
【請求項３】
前記スイッチング素子は，
前記データラインに第１電極が接続される第１ダイオードと，
前記第１ダイオードの第２電極に第２電極が接続される第２ダイオードと，
前記スキャンラインに第１電極が接続され，前記第１ダイオードの第２電極と前記第２ダイオードの第２電極との接続ノードに第２電極が接続される抵抗と，
前記第２ダイオードの第１電極と前記発光素子の制御電極との接続ノードに第２電極が接続される第３ダイオードと，
を含むことを特徴とする，請求項１または２に記載のフラットパネルディスプレイ装置。
【請求項４】
前記ピクセル回路は，
前記第２ダイオードの第１電極と電源電圧端との間に接続される容量性素子と，
前記第３ダイオードの第１電極に接続され，初期化信号を伝送する初期化ラインと，
をさらに含むことを特徴とする，請求項３に記載のフラットパネルディスプレイ装置。
【請求項５】
前記初期化信号は，前記第３ダイオードを介して前記容量性素子にチャージされることを特徴とする，請求項４に記載のフラットパネルディスプレイ装置。
【請求項６】
前記発光素子は，制御電極が前記第２ダイオードの第１電極に接続され，第１電極が前記電源電圧端に接続され，第２電極がカソード電圧端に接続されることを特徴とする，請求項２〜５のいずれかに記載のフラットパネルディスプレイ装置。
【請求項７】
前記選択信号を受けて前記抵抗及び前記第２ダイオードを介して前記容量性素子に所定の電圧を印加することによって，前記容量性素子に所定量の電荷を貯蔵することを特徴とする，請求項２〜６のいずれかに記載のフラットパネルディスプレイ装置。
【請求項８】
前記第１ダイオードを介して入力される前記データ信号に応じて，前記容量性素子に貯蔵される電荷量が調節されることを特徴とする，請求項７に記載のフラットパネルディスプレイ装置。
【請求項９】
前記スイッチング素子は，
前記データラインに第２電極が接続される第１ダイオードと，
前記第１ダイオードの第１電極に第１電極が接続される第２ダイオードと，
前記第１ダイオードの第１電極と前記第２ダイオードの第１電極との接続ノードに第１電極が接続され，前記スキャンラインに第２電極が接続される抵抗と，
前記第２ダイオードの第２電極と前記発光素子の制御電極との接続ノードに第１電極が接続される第３ダイオードと，
を含むことを特徴とする，請求項１または２に記載のフラットパネルディスプレイ装置。
【請求項１０】
前記ピクセル回路は，
前記第２ダイオードの第２電極と電源電圧端との間に接続される容量性素子と，
前記第３ダイオードの第２電極に接続され，初期化信号を伝送する初期化ラインと，
をさらに含むことを特徴とする，請求項９に記載のフラットパネルディスプレイ装置。
【請求項１１】
前記第１ダイオードを介して入力されるデータ信号に応じて，前記容量性素子に貯蔵される電荷量が調節されることを特徴とする，請求項１０に記載のフラットパネルディスプレイ装置。
【請求項１２】
データ信号を伝送する複数のデータラインと，
選択信号を伝送する複数のスキャンラインと，
前記データラインと前記スキャンラインの交差部に設けられた複数のピクセル回路と，
を含み，
前記各ピクセル回路は，前記データラインと前記スキャンラインに接続される抵抗と複数のダイオードを有するスイッチング素子と容量性素子を含み，前記スイッチング素子のスイッチング動作によって所定電圧が前記容量性素子に貯蔵され，当該貯蔵された電圧に基づいて発光素子の駆動電圧が生成されることを特徴とする，フラットパネルディスプレイ装置。
【請求項１３】
前記スイッチング素子は，
前記データラインに第１電極が接続される第１ダイオードと，
前記第１ダイオードの第２電極に第２電極が接続される第２ダイオードと，
前記スキャンラインに第１電極が接続され，前記第１ダイオードの第２電極と前記第２ダイオードの第２電極との接続ノードに第２電極が接続される抵抗と，
前記第２ダイオードの第１電極と前記発光素子の制御電極との接続ノードに第２電極が接続される第３ダイオードと，
を含むことを特徴とする，請求項１２に記載のフラットパネルディスプレイ装置。
【請求項１４】
前記ピクセル回路は，
前記第２ダイオードの第１電極と電源電圧端との間に接続される容量性素子と，
前記第３ダイオードの第１電極に接続され，初期化信号を伝送する初期化ラインと，
をさらに含むことを特徴とする，請求項１３に記載のフラットパネルディスプレイ装置。
【請求項１５】
前記発光素子は，静電誘導トランジスタと有機ＥＬ素子が結合されて成る有機発光トランジスタであることを特徴とする，請求項１２〜１４のいずれかに記載のフラットパネルディスプレイ装置。
【請求項１６】
データ信号を伝送する複数のデータラインと，
選択信号を伝送する複数のスキャンラインと，
前記データラインと前記スキャンラインに接続された複数のピクセル回路と，
を含み，
前記各ピクセル回路は，
前記データラインと前記スキャンラインに接続される抵抗と複数のダイオードを有するスイッチング素子と，
容量性素子と，
を含み，
前記スイッチング素子のスイッチング動作によって所定電圧が前記容量性素子に貯蔵され，当該貯蔵された電圧に基づいて発光素子の駆動電圧が生成されることを特徴とする，フラットパネルディスプレイ装置。
【請求項１７】
前記スイッチング素子は，
前記データラインに第２電極が接続される第１ダイオードと，
前記第１ダイオードの第１電極に第１電極が接続される第２ダイオードと，
前記第１ダイオードの第１電極と前記第２ダイオードの第１電極との接続ノードに第１電極が接続され，前記スキャンラインに第２電極が接続される抵抗と，
前記第２ダイオードの第２電極と前記発光素子の制御電極との接続ノードに第１電極が接続される第３ダイオードと，
を含むことを特徴とする，請求項１６に記載のフラットパネルディスプレイ装置。
【請求項１８】
前記ピクセル回路は，
前記第２ダイオードの第２電極と電源電圧端との間に接続される容量性素子と，
前記第３ダイオードの第２電極に接続され，初期化信号を伝送する初期化ラインと，
をさらに含むことを特徴とする，請求項１７に記載のフラットパネルディスプレイ装置。
【請求項１９】
前記選択信号を受けて前記抵抗及び前記第２ダイオードを介して前記容量性素子に所定量の電荷を貯蔵することを特徴とする，請求項１７または１８に記載のフラットパネルディスプレイ装置。
【請求項２０】
前記第１ダイオードを介して入力される前記データ信号に応じて，前記容量性素子に貯蔵される電荷量が調節されることを特徴とする，請求項１７〜１９のいずれかに記載のフラットパネルディスプレイ装置。
【請求項２１】
前記発光素子は，静電誘導トランジスタと有機ＥＬ素子が結合されて成る有機発光トランジスタであることを特徴とする，請求項１６〜２０のいずれかに記載のフラットパネルディスプレイ装置。
【請求項２２】
データ信号を伝送する複数のデータラインと，
選択信号を伝送する複数のスキャンラインと，
前記データラインと前記スキャンラインに接続された複数のピクセル回路と，
を含み，
前記各ピクセル回路は，
前記データラインに第１電極が接続される第１ダイオードと，
前記第１ダイオードの第２電極に第２電極が接続される第２ダイオードと，
前記スキャンラインに第１電極が接続され，前記第１ダイオードの第２電極と前記第２ダイオードの第２電極との接続ノードに第２電極が接続される抵抗と，
前記第２ダイオードの第１電極に制御電極が接続される発光素子と，
前記第２ダイオードの第１電極と前記発光素子の制御電極との接続ノードに第２電極が接続される第３ダイオードと，
前記第２ダイオードの第１電極と電源電圧端との間に接続される容量性素子と，
前記第３ダイオードの第１電極に接続され，初期化信号を伝送する初期化ラインと，
を含むことを特徴とする，フラットパネルディスプレイ装置。
【請求項２３】
前記発光素子は，静電誘導トランジスタと有機ＥＬ素子が結合されて成ることを特徴とする，請求項２２に記載のフラットパネルディスプレイ装置。
【請求項２４】
データ信号を伝送する複数のデータラインと，
選択信号を伝送する複数のスキャンラインと，
前記データラインと前記スキャンラインに接続された複数のピクセル回路と，
を含み，
前記各ピクセル回路は，
前記データラインに第２電極が接続される第１ダイオードと，
前記第１ダイオードの第１電極に第１電極が接続される第２ダイオードと，
前記第１ダイオードの第１電極と前記第２ダイオードの第１電極との接続ノードに第１電極が接続され，前記スキャンラインに第２電極が接続される抵抗と，
前記第２ダイオードの第２電極に制御電極が接続される発光素子と，
前記第２ダイオードの第２電極と前記発光素子の制御電極との接続ノードに第１電極が接続される第３ダイオードと，
前記第２ダイオードの第２電極と電源電圧端との間に接続される容量性素子と，
前記第３ダイオードの第２電極に接続され，初期化信号を伝送する初期化ラインと，
を含むことを特徴とする，フラットパネルディスプレイ装置。
【請求項２５】
前記発光素子は，静電誘導トランジスタと有機ＥＬ素子が結合されて成ることを特徴とする，請求項２４に記載のフラットパネルディスプレイ装置。
【発明の詳細な説明】
【技術分野】
【０００１】
本発明は，フラットパネルディスプレイ装置に関する。
【背景技術】
【０００２】
一般に，有機ＥＬ表示装置は，蛍光性有機化合物を電気的に励起して発光させるフラットパネルディスプレイ装置であり，Ｎ×Ｍ個の有機発光セルを電流で駆動して映像を表現する機能を有している。このような有機発光セルは，積層構造，すなわちＩＴＯから成るアノード電極，有機薄膜，及び金属膜から成るカソード電極を有している。有機薄膜は，電子と正孔の均衡をとり，発光層の発光効率を向上させるため，電子電子層（ＥＴＬ：Ｅｌｅｃｔｒｏｎ  Ｔｒａｎｓｐｏｒｔ  Ｌａｙｅｒ），正孔伝達層（ＨＴＬ：Ｈｏｌｅ  Ｔｒａｎｓｐｏｒｔ  Ｌａｙｅｒ），電子注入層（ＥＩＬ：Ｅｌｅｃｔｒｏｎ  Ｉｎｊｅｃｔｉｎｇ  Ｌａｙｅｒ），及び正孔注入層（ＨＩＬ：Ｈｏｌｅ  Ｉｎｊｅｃｔｉｎｇ  Ｌａｙｅｒ）を含んでいる。
【０００３】
このように構成される有機発光セルを駆動する方式には，パッシブマトリックス（ｐａｓｓｉｖｅ  ｍａｔｒｉｘ）方式と，ＴＦＴを用いるアクティブマトリックス（ａｃｔｉｖｅ  ｍａｔｒｉｘ）方式がある。パッシブマトリックス方式は，陽極と陰極を直交するように形成し，ラインを選択して駆動する。一方のアクティブマトリックス方式は，ＴＦＴを用いてＥＬ素子を駆動し，キャパシタによりデータ信号を維持する。
【０００４】
図１は，従来のアクティブマトリックス方式の有機電界発光表示装置のピクセル回路を示すものである。
【０００５】
図１に示すように，有機ＥＬ素子ＯＬＥＤには駆動トランジスタＭ２が接続されており，駆動トランジスタＭ２が有機ＥＬ素子ＯＬＥＤに発光のための電流を供給する。駆動トランジスタＭ２に流れる電流量は，スイッチングトランジスタＭ１を介して印加されるデータ信号に応じて制御されるようになっている。駆動トランジスタＭ２に印加されるデータ信号を一定期間維持するためのキャパシタＣｓｔがトランジスタＭ２のソースとゲートとの間に接続されている。トランジスタＭ１のゲートには選択信号Ｓｃａｎの伝送ラインが接続され，ソースにはデータ信号Ｄａｔａの伝送ラインが接続されている。
【０００６】
このような構造のピクセル回路の動作は以下のとおりである。スイッチングトランジスタＭ１のゲートに印加される選択信号Ｓｃａｎに応じてトランジスタＭ１がオンすると，データ線を介してデータ信号Ｄａｔａが駆動用トランジスタＭ２のゲートに印加される。そして，ゲートに印加されるデータ信号Ｄａｔａに応じて，トランジスタＭ２を介して有機ＥＬ素子ＯＬＥＤに電流が流れる。この結果，有機ＥＬ素子ＯＬＥＤが発光する。
【０００７】
このとき有機ＥＬ素子ＯＬＥＤに流れる電流は次の数式１で表される。
【０００８】
【数１】
2005157275.tif 000003
【０００９】
ここで，ＩＯＬＥＤは有機ＥＬ素子ＯＬＥＤに流れる電流を示し，ＶｇｓはトランジスタＭ２のソースとゲートとの間の電圧を示し，ＶｔｈはトランジスタＭ２のしきい電圧を示し，Ｖｄａｔａはデータ信号Ｄａｔａの電圧を示し，βは定数値を示す。
【００１０】
数式１から明らかなように，図１に示したピクセル回路においては，印加されるデータ信号Ｄａｔａの電圧Ｖｄａｔａに対応する電流ＩＯＬＥＤが有機ＥＬ素子ＯＬＥＤに供給され，供給された電流ＩＯＬＥＤに応じて有機ＥＬ素子ＯＬＥＤが発光することになる。
【発明の開示】
【発明が解決しようとする課題】
【００１１】
しかし，このような従来のピクセル駆動回路によれば，有機ＥＬ発光素子及び薄膜トランジスタの製造工程が複雑化し，製造原価が上昇するとともに，収率（歩留まり）が低下するおそれがあった。
【００１２】
本発明は，このような問題に鑑みてなされたものであり，その目的は，製造が容易であり，製造コストの低減が可能な，新規かつ改良されたフラットパネルディスプレイ装置を提供することある。
【課題を解決するための手段】
【００１３】
上記課題を解決するために，本発明の第１の観点によれば，フラットパネルディスプレイ装置が提供される。このフラットパネルディスプレイ装置は，データ信号を伝送する複数のデータラインと，選択信号を伝送する複数のスキャンラインと，データラインとスキャンラインに接続された複数のピクセルとを含む。そして，各ピクセル回路は，複数のダイオードと抵抗を有し，選択信号に応じてターンオンし，データ信号を発光素子に与えるスイッチング素子を含むことを特徴としている。
【００１４】
スイッチング素子は，データラインに第１電極が接続される第１ダイオードと，第１ダイオードの第２電極に第２電極が接続される第２ダイオードと，スキャンラインに第１電極が接続され，第１ダイオードの第２電極と第２ダイオードの第２電極との接続ノードに第２電極が接続される抵抗と，第２ダイオードの第１電極と発光素子の制御電極との接続ノードに第２電極が接続される第３ダイオードとを含むことが好ましい。
【００１５】
ピクセル回路は，第２ダイオードの第１電極と電源電圧端との間に接続される容量性素子と，第３ダイオードの第１電極に接続され，初期化信号を伝送する初期化ラインと，をさらに含むことが好ましい。
【００１６】
初期化信号は，第３ダイオードを介して容量性素子にチャージ（プレチャージ）され得る。
【００１７】
発光素子は，制御電極が第２ダイオードの第１電極に接続され，第１電極が電源電圧端に接続され，第２電極がカソード電圧端に接続されることが好ましい。
【００１８】
選択信号を受けて抵抗及び第２ダイオードを介して容量性素子に所定の電圧を印加することによって，容量性素子に所定量の電荷を貯蔵するようにしてもよい。
【００１９】
第１ダイオードを介して入力されるデータ信号に応じて，容量性素子に貯蔵される電荷量が調節されることが好ましい。
【００２０】
スイッチング素子は，データラインに第２電極が接続される第１ダイオードと，第１ダイオードの第１電極に第１電極が接続される第２ダイオードと，第１ダイオードの第１電極と第２ダイオードの第１電極との接続ノードに第１電極が接続され，スキャンラインに第２電極が接続される抵抗と，第２ダイオードの第２電極と発光素子の制御電極との接続ノードに第１電極が接続される第３ダイオードとを含むことが好ましい。
【００２１】
ピクセル回路は，第２ダイオードの第２電極と電源電圧端との間に接続される容量性素子と，第３ダイオードの第２電極に接続され，初期化信号を伝送する初期化ラインとをさらに含むことが好ましい。
【００２２】
第１ダイオードを介して入力されるデータ信号に応じて，容量性素子に貯蔵される電荷量が調節され得る。
【００２３】
上記課題を解決するために，本発明の第２の観点によれば，フラットパネルディスプレイ装置が提供される。このフラットパネルディスプレイ装置は，データ信号を伝送する複数のデータラインと，選択信号を伝送する複数のスキャンラインと，データラインとスキャンラインの交差部に設けられた複数のピクセル回路とを含むことを特徴としている。そして，ピクセル回路は，データラインとスキャンラインに接続される抵抗と複数のダイオードを有するスイッチング素子と容量性素子を含み，スイッチング素子のスイッチング動作によって所定電圧が容量性素子に貯蔵され，当該貯蔵された電圧に基づいて発光素子の駆動電圧が生成されることを特徴としている。
【００２４】
スイッチング素子は，データラインに第１電極が接続される第１ダイオードと，第１ダイオードの第２電極に第２電極が接続される第２ダイオードと，スキャンラインに第１電極が接続され，第１ダイオードの第２電極と第２ダイオードの第２電極との接続ノードに接続される抵抗と，第２ダイオードの第１電極と発光素子の制御電極との接続ノードに第２電極が接続される第３ダイオードとを含むことが好ましい。
【００２５】
ピクセル回路は，第２ダイオードの第１電極と電源電圧端との間に接続される容量性素子と，第３ダイオードの第１電極に接続され，初期化信号を伝送する初期化ラインとをさらに含むことが好ましい。
【００２６】
上記課題を解決するために，本発明の第３の観点によれば，フラットパネルディスプレイ装置が提供される。このフラットパネルディスプレイ装置は，データ信号を伝送する複数のデータラインと，選択信号を伝送する複数のスキャンラインと，データラインとスキャンラインに接続された複数のピクセル回路とを含むことを特徴としている。そして，各ピクセルは，データラインとスキャンラインに接続される抵抗と複数のダイオードを有するスイッチング素子と容量性素子を含み，スイッチング素子のスイッチング動作によって所定電圧が容量性素子に貯蔵され，当該貯蔵された電圧に基づいて発光素子の駆動電圧が生成されることを特徴としている。
【００２７】
スイッチング素子は，データラインに第２電極が接続される第１ダイオードと，第１ダイオードの第１電極に第１電極が接続される第２ダイオードと，第１ダイオードの第１電極と第２ダイオードの第１電極との接続ノードに第１電極が接続され，スキャンラインに第２電極が接続される抵抗と，第２ダイオードの第２電極と発光素子の制御電極との接続ノードに第１電極が接続される第３ダイオードとを含むことが好ましい。
【００２８】
ピクセル回路は，第２ダイオードの第２電極と電源電圧端との間に接続される容量性素子と，第３ダイオードの第２電極に接続され，初期化信号を伝送する初期化ラインとをさらに含むことが好ましい。
【００２９】
選択信号を受けて抵抗及び第２ダイオードを介して容量性素子に所定量の電荷を貯蔵するようにしてもよい。
【００３０】
第１ダイオードを介して入力されるデータ信号に応じて，容量性素子に貯蔵される電荷量が調節されることが好ましい。
【００３１】
上記課題を解決するために，本発明の第４の観点によれば，フラットパネルディスプレイ装置が提供される。このフラットパネルディスプレイ装置は，データ信号を伝送する複数のデータラインと，選択信号を伝送する複数のスキャンラインと，データラインとスキャンラインに接続された複数のピクセル回路とを含むことを特徴としている。そして，各ピクセル回路は，データラインに第１電極が接続される第１ダイオードと，第１ダイオードの第２電極に第２電極が接続される第２ダイオードと，スキャンラインに第１電極が接続され，第１ダイオードの第２電極と第２ダイオードの第２電極との接続ノードに第２電極が接続される抵抗と，第２ダイオードの第１電極に制御電極が接続される発光素子と，第２ダイオードの第１電極と発光素子の制御電極との接続ノードに第２電極が接続される第３ダイオードと，第２ダイオードの第１電極と電源電圧端との間に接続される容量性素子と，第３ダイオードの第１電極に接続され，初期化信号を伝送する初期化ラインとを含むことを特徴としている。
【００３２】
上記課題を解決するために，本発明の第５の観点によれば，フラットパネルディスプレイ装置が提供される。このフラットパネルディスプレイ装置は，データ信号を伝送する複数のデータラインと，選択信号を伝送する複数のスキャンラインと，データラインとスキャンラインに接続された複数のピクセルとを含むことを特徴としている。そして，各ピクセル回路は，データラインに第２電極が接続される第１ダイオードと，第１ダイオードの第１電極に第１電極が接続される第２ダイオードと，第１ダイオードの第１電極と第２ダイオードの第１電極との接続ノードに第１電極が接続され，スキャンラインに第２電極が接続される抵抗と，第２ダイオードの第２電極に制御電極が接続される発光素子と，第２ダイオードの第２電極と発光素子の制御電極との接続ノードに第１電極が接続される第３ダイオードと，第２ダイオードの第２電極と電源電圧端との間に接続される容量性素子と，第３ダイオードの第２電極に接続され，初期化信号を伝送する初期化ラインとを含むことを特徴としている。
【００３３】
発光素子は，静電誘導トランジスタ（Ｓｔａｔｉｃ  Ｉｎｄｕｃｔｉｏｎ  Ｔｒａｎｓｉｓｔｏｒ）と有機ＥＬ素子（ＯＬＥＤ）が結合されて構成され得る。例えば，発光素子は，有機発光トランジスタ（ＯＬＥＴ）であることが好ましい。
【発明の効果】
【００３４】
本発明によれば，複数のダイオードと抵抗を含むトライオード整流スイッチと有機発光トランジスタを備え，所定の色相を具現化するフラットパネルディスプレイ装置が提供される。これによって，より簡単な工程で製品を製造することが可能となり，製品の製造原価が低減し，歩留まりの向上が実現する。
【発明を実施するための最良の形態】
【００３５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３６】
〈第１の実施の形態〉
図２は，本発明の第１の実施の形態に係るフラットパネルディスプレイ装置のピクセル回路の回路図であり，図３は，同実施の形態に係るピクセル回路の動作タイミング図である。
【００３７】
図２に示すように，本実施例に係るフラットパネルディスプレイ装置のピクセル回路は，スキャン信号（選択信号）Ｓｃａｎの伝送ラインとデータ信号Ｄａｔａの伝送ラインに接続されたトライオード整流スイッチ（スイッチング素子）１０と，このトライオード整流スイッチ１０のスイッチングにより，データ信号を記憶するストレージキャパシタ（容量性素子）Ｃｓｔと，このストレージキャパシタＣｓｔに記憶されたデータ信号Ｄａｔａにより発光する有機発光トランジスタ（発光素子）ＯＬＥＴとからなる。
【００３８】
これをより詳細に説明する。トライオード整流スイッチ１０は三つのダイオードＤ１〜Ｄ３と一つの抵抗Ｒから成る。このうち，第１ダイオードＤ１のアノード（第１電極）はデータ信号Ｄａｔａの伝送ラインに接続され，そのカソード（第２電極）は第２ダイオードＤ２のカソード（第２電極）に接続されている。抵抗Ｒの一端（第２電極）は第１ダイオードＤ１のカソードと第２ダイオードＤ２のカソードとの接続ノードに接続され，この抵抗Ｒの他端（第１電極）はスキャン信号Ｓｃａｎの伝送ラインに接続されている。また，第２ダイオードＤ２のアノードは有機発光トランジスタＯＬＥＴのゲート（制御電極）に接続されている。この有機発光トランジスタＯＬＥＴのソース（第１電極）は電源電圧ＶＤＤの出力端に接続され，そのドレイン（第２電極）はカソード電圧ＶＳＳの出力端に接続されている。第３ダイオードＤ３のアノード（第１電極）は初期化信号Ｉｎｔの伝送ラインに接続され，この第３ダイオードＤ３のカソード（第２電極）は有機発光トランジスタＯＬＥＴのゲートと第２ダイオードＤ２のアノードとの接続ノードに接続されている。
【００３９】
ここで，有機発光トランジスタＯＬＥＴとしては，静電誘導トランジスタ（ＳＩＴ）と有機ＥＬ素子（ＯＬＥＤ）が結合された有機発光トランジスタ（Ｏｒｇａｎｉｃ  Ｌｉｇｈｔ  Ｔｒａｎｓｉｓｔｏｒ：ＯＬＥＴ）を採用することが好ましい。有機発光トランジスタＯＬＥＴは，有機ＥＬ素子ＯＬＥＤと静電誘導トランジスタの結合構造を有している。そして，この有機発光トランジスタＯＬＥＴにおいては，中間層としてのグリッドタイプの薄いメタルがゲートの役割を果たし，グリッドタイプの中間層に有機ＥＬ層が構成されるため，一般的なＴＦＴとは異なりいわゆる垂直構造が形成されることになる。したがって，ソースとドレインとの間のチャンネル長が非常に短くなり，駆動速度が速くなり，かつ低電圧での駆動が可能となる。また，有機ＥＬ素子（ＯＬＥＤ）に比べて製造工程が簡単である。
【００４０】
以上のような構成を有する本発明の第１の実施の形態の動作を図３のタイミング図を参照しながら詳細に説明する。
【００４１】
まず，トライオード整流スイッチ１０に対して，論理的高レベル（以下，「Ｈレベル」という）の初期化信号Ｉｎｔが入力されると，トライオード整流スイッチ１０の第３ダイオードＤ３が通電して，初期化信号ＩｎｔがストレージキャパシタＣｓｔに伝達される。これによって，ストレージキャパシタＣｓｔにプレチャージ電圧が充電される。
【００４２】
一定時間後，論理的低レベル（以下，「Ｌレベル」という）のスキャン信号Ｓｃａｎがトライオード整流スイッチ１０の抵抗Ｒに印加され，データ信号Ｄａｔａがトライオード整流スイッチ１０のダイオードＤ１に印加されると，ストレージキャパシタＣｓｔに貯蔵された電荷は第２ダイオードＤ２と抵抗Ｒを介して放電される。データ信号Ｄａｔａが第１ダイオードＤ１のアノードに印加されることにより，ストレージキャパシタＣｓｔから第２ダイオードＤ２と抵抗Ｒを介して出力される電流の大きさ（放電される電荷量）が制御される。すなわち，ストレージキャパシタＣｓｔに貯蔵される電荷は，第１ダイオードＤ１を介して伝達されるデータ信号Ｄａｔａの電圧の大きさによって調節される。
【００４３】
この動作を詳細に説明する。データ信号Ｄａｔａが一定の大きさの高電圧であると，第２ダイオードＤ２と抵抗Ｒを介して放電される電荷の量が少なくなるため，ストレージキャパシタＣｓｔの電圧は高くなる。逆に，データ信号Ｄａｔａの電圧が低くなると，第２ダイオードＤ２と抵抗Ｒを介して放電される電荷の量が多くなるため，ストレージキャパシタＣｓｔの電圧は低くなる。
【００４４】
このように，データ信号Ｄａｔａの電圧の大きさに応じてストレージキャパシタＣｓｔの充電電圧が調節される。本発明の第１の実施の形態においては，例えば，データ信号Ｄａｔａの電圧が３Ｖであれば，プレチャージ電圧として４Ｖ以上の高電圧がストレージキャパシタＣｓｔに充電されることが好ましい。このように，４Ｖ以上の高電圧がストレージキャパシタＣｓｔに充電されることにより，データ信号Ｄａｔａの電圧に応じて一定大きさの電圧が放電されるので，ノードＮに所定のゲート電圧が生成される。
【００４５】
有機発光トランジスタＯＬＥＴのゲート電圧は，ノードＮに生じる電圧である。このノードＮの電圧は，第２ダイオードＤ２，ストレージキャパシタＣｓｔ，及び第３ダイオードＤ３にそれぞれかかる電圧に応じて調整される。そして，このノードＮの電圧が有機発光トランジスタＯＬＥＴのゲートに印加されることにより，有機発光トランジスタに含まれる有機ＥＬ素子（ＯＬＥＤ）が発光する。以上のように，本発明の第１の実施の形態によれば，データ信号Ｄａｔａの電圧に応じて，ストレージキャパシタＣｓｔに貯蔵される電荷量が調節され，有機発光トランジスタＯＬＥＴのゲート電圧が制御される。この結果，有機発光トランジスタＯＬＥＴから所定の色相の発光が得られる。
【００４６】
〈第２の実施の形態〉
図４は，本発明の第２の実施の携帯に係るフラットパネルディスプレイ装置のピクセル回路の回路図であり，図５は，同実施の形態に係るピクセル回路の動作タイミング図である。
【００４７】
図４に示すように，本実施の形態に係るピクセル回路は，データ信号Ｄａｔａの伝送ライン，スキャン信号Ｓｃａｎの伝送ライン，及び初期化信号Ｉｎｔの伝送ラインに接続されたトライオード整流スイッチ２０，電源電圧ＶＤＤの出力端と有機発光トランジスタＯＬＥＴのゲートに接続されたストレージキャパシタＣｓｔ，並びにソースが電源電圧ＶＤＤの出力端に接続され，ドレインがカソード電圧ＶＳＳの出力端に接続された有機発光トランジスタＯＬＥＴから成る。
【００４８】
ここで，トライオード整流スイッチ２０の詳細構成を説明する。トライオード整流スイッチ２０は，データ信号Ｄａｔａの伝送ラインにカソード（第２電極）が接続された第１ダイオードＤ１と，この第１ダイオードＤ１のアノード（第１電極）にアノード（第１電極）が連結され，カソード（第２電極）に有機発光トランジスタＯＬＥＴのゲート（制御電極）が接続された第２ダイオードＤ２と，第１ダイオードＤ１のアノードと第２ダイオードＤ２のアノードとの接続ノードとスキャン信号Ｓｃａｎの伝送ラインとの間に接続された抵抗Ｒと，第２ダイオードＤ２と有機発光トランジスタＯＬＥＴのゲートとの間にアノード（第１電極）が接続され，初期化信号Ｉｎｔの伝送ラインにカソード（第２電極）が接続された第３ダイオードＤ３とを含む。すなわち，本実施の形態に係るトライオード整流スイッチ２０は，第１の実施の形態に係るトライオード整流スイッチ１０に対して，ダイオードＤ１，Ｄ２，Ｄ３がそれぞれ逆方向（反対の極性）に接続された構成を有する。
【００４９】
以上のような構成を有する本発明の第２の実施の形態の動作を図５のタイミング図を参照しながら詳細に説明する。
【００５０】
まず，トライオード整流スイッチ２０に対して，Ｌレベルの初期化信号Ｉｎｔが入力されると，電源電圧ＶＤＤがストレージキャパシタＣｓｔに印加されてプレチャージされる。その後，トライオード整流スイッチ２０に対して，Ｈレベルのスキャン信号Ｓｃａｎが入力されると，抵抗Ｒと第２ダイオードＤ２を介して所定の電圧がストレージキャパシタＣｓｔに印加される（電荷が貯蔵される）。また，データ信号Ｄａｔａが第１ダイオードＤ１に入力されることにより，抵抗Ｒと第２ダイオードＤ２を介してストレージキャパシタＣｓｔに印加される電圧の大きさ（貯蔵される電荷量）が制御される。
【００５１】
第１の実施の形態においては，ストレージキャパシタＣｓｔに高電圧を充電して，データ信号ＤａｔａによってストレージキャパシタＣｓｔから放電される電圧の大きさを調節し，有機発光トランジスタＯＬＥＴを駆動する。これに対して，第２の実施の形態においては，ストレージキャパシタＣｓｔに低電圧を充電して，データ信号ＤａｔａによってストレージキャパシタＣｓｔに貯蔵される電圧の大きさを調節し，有機発光トランジスタＯＬＥＴの駆動電圧を制御する。したがって，本発明の第２の実施の形態においては，ストレージキャパシタＣｓｔには，−４Ｖ以下の低電圧がプレチャージ段階で充電されることが好ましい。
【００５２】
本実施の形態によれば，第２ダイオードＤ２，ストレージキャパシタＣｓｔ，第３ダイオードＤ３，及び有機発光トランジスタＯＬＥＴそれぞれが有する抵抗と各素子に両端における電圧に応じてノードＮに所定の電圧が生じる。そして，ノードＮの電圧のレベルに応じて有機発光トランジスタＯＬＥＴが発光する。
【００５３】
以上，添付図面を参照しながら本発明の好適な実施形態について説明したが，本発明は係る例に限定されない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５４】
本発明は，例えば有機電界発光表示装置に適用可能である。
【図面の簡単な説明】
【００５５】
【図１】従来の有機電界発光表示装置のピクセル回路を示す回路図である。
【図２】本発明の第１の実施の形態に係るトライオード整流スイッチを有するフラットパネルディスプレイ装置の回路図である。
【図３】同実施の形態に係るトライオード整流スイッチを有するフラットパネルディスプレイ装置の動作タイミング図である。
【図４】本発明の第２の実施の形態に係るトライオード整流スイッチを有するフラットパネルディスプレイ装置の回路図である。
【図５】同実施の形態に係るトライオード整流スイッチを有するフラットパネルディスプレイ装置の動作タイミング図である。
【符号の説明】
【００５６】
１０，２０      トライオード整流スイッチ
Ｄ１〜Ｄ３      ダイオード
Ｒ      抵抗
ＯＬＥＴ      有機発光トランジスタ
ＯＬＥＤ    有機ＥＬ素子
【図１】
2005157275.tif 000004
【図２】
2005157275.tif 000005
【図３】
2005157275.tif 000006
【図４】
2005157275.tif 000007
【図５】
2005157275.tif 000008